(57)【要約】【課題】本発明は、両面テープを使ってマークやロゴが表示されたラベルやレッテル等の銘板に正確かつ簡単に貼付することができる両面テープ貼付装置を提供する。【解決手段】本発明の両面テープ貼付装置１は、ラベルやレッテル等の銘板Ａを製品に貼付し得るように銘板Ａに両面テープＴを貼付する装置であって、銘板Ａや両面テープＴが載置される固定台が中央に立設された固定治具２と、固定台の中央の固定穴に可動可能に嵌合される内側可動治具３と、固定台の外側に可動可能に嵌合される外側可動治具４と、固定治具に連設されると共に負圧による吸着力または加圧による押圧力により両面テープ及び銘板を所定の位置関係に位置決めすることができる空気圧装置５と、から構成されている。【効果】本発明装置によれば、銘板に両面テープを貼付する場合、一度で正確かつ容易に作業できるようになり、従来の目視に頼る手作業による正確な位置に貼付するのが困難になるという問題点の解消を図り、使用勝手を飛躍的に向上出来る効果がある。【選択図】          図４
2007055813.tif 000002
【特許請求の範囲】
【請求項１】
固定治具と該固定治具に可動可能に嵌合される内側可動治具とで両面テープを位置決めすると共に、
固定治具に連設した空気圧装置の負圧による吸着力により両面テープの位置を保持し、
さらに両面テープを貼付する銘板もこれらにより両面テープと同心に位置決めして、
両面テープと銘板とを所定の位置関係にして両面テープを銘板に貼付することができる、
ことを特徴とする両面テープ貼付装置。
【請求項２】
前記固定治具に可動可能に嵌合される外側可動治具を設けることにより、
両面テープと銘板の回転方向を位置決めすることができるようにし、
内側可動治具と外側可動治具の両者を同時に押圧することで、
両面テープと銘板とを所定の位置関係にして両面テープを銘板に貼付することができる、
ことを特徴とする請求項１記載の両面テープ貼付装置。
【請求項３】
前記空気圧装置に負圧（バキューム）または加圧（コンプレッション）に空気圧を切替えるエア切替装置を設けることにより、
両面テープと銘板とを貼付した後に、該エア切替装置により負圧（バキューム）から加圧（コンプレッション）に空気圧を切替えて、
固定治具側から空気圧装置により加圧することにより両面テープを押圧し、
両面テープと銘板とを貼付する際の相互の接着力を増大することが出来る、
ことを特徴とする請求項１または請求項２記載の両面テープ貼付装置。
【請求項４】
前記空気圧装置にエアをオン・オフするペタルスイッチを設けることにより、
負圧を断続させて両面テープの位置を微調整することができる、
ことを特徴とする請求項１〜請求項３の何れかに記載の両面テープ貼付装置。
【請求項５】
前記内側可動治具に設ける通気孔の数を増減することにより、
両面テープと銘板とを保持する際の負圧による吸着力の大きさを調整できる、
ことを特徴とする請求項１〜請求項４の何れかに記載の両面テープ貼付装置。
【請求項６】
前記空気圧装置の供給エアの圧力を加減することが出来るようにすることにより、
両面テープと銘板とを保持する際の負圧による吸着力の大きさを調整できる、
ことを特徴とする請求項１〜請求項５の何れかに記載の両面テープ貼付装置。
【発明の詳細な説明】
【技術分野】
【０００１】  本発明は、両面テープ貼付装置に関し、特に両面テープを使ってマークやロゴが表示されたラベルやレッテル等の銘板に正確かつ簡単に貼付することができる両面テープ貼付装置に関するものである。
【背景技術】
【０００２】  従来、マークやロゴが表示されたラベルやレッテル等の金属製または合成樹脂製の銘板に両面テープを貼付して、例えば、自動車のエクステリアに貼付可能な状態に形成する場合、この両面テープの形状が細かいことや薄いこと等から、目視に頼った手作業で実施すると、銘板の正確な位置に貼付することが困難であるという問題点があった。【０００３】  また、この銘板に両面テープを貼付する場合、両面テープの形状が薄いものであることから、一旦貼付すると、位置が違っていてもやり直しが殆ど出来ない為、一度で正確に貼付する必要があり、作業が困難であるという問題点があった。
【発明の開示】
【発明が解決しようとする課題】
【０００４】  このような従来技術の問題点に鑑み、本発明の主な目的は、
銘板に両面テープを貼付する場合、一度で正確かつ容易に作業できるようにして、
従来の目視に頼る手作業による正確な位置に貼付することが困難となる問題点の解消を図り、使用勝手を飛躍的に向上させた両面テープ貼付装置を提供することにある。
【課題を解決するための手段】
【０００５】  このような目的は、本発明によれば、
固定治具と該固定治具に可動可能に嵌合される内側可動治具とで両面テープを位置決めすると共に、
固定治具に連設した空気圧装置の負圧による吸着力により両面テープの位置を保持し、
さらに両面テープを貼付する銘板もこれらにより両面テープと同心に位置決めして、
両面テープと銘板とを所定の位置関係にして両面テープを銘板に貼付することができる、
ことを特徴とする両面テープ貼付装置、
を提供することにより達成される。
【発明の効果】
【０００６】  このように、本発明によれば、
銘板に両面テープを貼付する場合、一度で正確かつ容易に作業できるようにようにし、
従来の目視に頼る手作業による正確な位置に貼付することが困難となるという問題点の解消を図り、使用勝手を飛躍的に向上させた両面テープ貼付装置を提供することが出来る。【０００７】  すなわち、
（１）マークやロゴが表示されたラベルやレッテル等の金属製または合成樹脂製の銘板に両面テープを貼付して、装飾板等の自動車のエクステリアに貼付可能な状態に形成する場合に、両面テープの形状が細かいことや薄いこと等から、目視に頼った手作業で実施すると、銘板の正確な位置に貼付することが困難であるという従来の問題点を解消することができるという効果がある。
（２）銘板に両面テープを貼付する場合、両面テープの形状が薄いものであることから、一旦貼付すると位置が違っていてもやり直しが殆ど出来ない為、一度で正確に貼付する必要があり、作業が困難であるという従来の問題点を解消できるという効果がある。
（３）両面テープを治具で位置決めすると同時に負圧（バキューム）により位置を正確に保持できるので、両面テープと銘板とを正確な位置に貼付できるという効果がある。
（４）両面テープと銘板とを同時に同心に位置決めができので、一度で正確かつ容易に作業できるようになるという効果がある。
（５）両面テープと銘板を一度で正確に位置きめして容易に作業でき、作業中の不具合発生を阻止でき、従来の不具合の解消を図り、使用勝手を飛躍的に向上できる効果がある。
（６）両面テープと銘板とを貼付後に、エア切替装置により負圧（バキューム）から加圧（コンプレッション）に空気圧を切替え、固定治具側から空気圧装置で加圧して両面テープを押圧し、銘板に貼付する際の相互の接着力を増大して貼付できるという効果がある。
（７）内側可動治具の通気孔の数を増減することで、両面テープと銘板とを保持する際の負圧の吸着力の大きさを調整すると共に、加圧の押圧力の大きさを調整することで、両面テープと銘板とを貼付する際の相互の接着力を増大させて貼付できるという効果がある。
（８）空気圧装置の供給エア圧力を加減することで、両面テープと銘板とを保持する際の負圧の吸着力の大きさを調整出来ると共に、加圧の押圧力の大きさを調整することで、両面テープと銘板を貼付する際の相互の接着力を増大させて貼付できるという効果がある。
【発明を実施するための最良の形態】
【０００８】  次に、本発明を添付の図面を参照して、特定の実施の形態について詳述する。【０００９】  本発明の両面テープ貼付装置は、
固定治具と該固定治具に可動可能に嵌合される内側可動治具とで両面テープを位置決めすると共に、
固定治具に連設した空気圧装置の負圧による吸着力により両面テープの位置を保持し、
さらに両面テープを貼付する銘板もこれらにより両面テープと同心に位置決めして、
両面テープと銘板とを所定の位置関係にして両面テープを銘板に貼付することができる、
ように構成されており、
銘板に両面テープを貼付する場合、一度で正確かつ容易に作業できるようにして、
従来の目視に頼る手作業による正確な位置に貼付することが困難となると問題点の解消を図り、使用勝手を飛躍的に向上させたものとなる優れた装置となる。
【実施例１】
【００１０】  図１〜図６は、本発明に基づく両面テープ貼付装置の実施の形態の第一実施例を示している。【００１１】  本発明の両面テープ貼付装置１は、
ラベルやレッテル等の銘板Ａを製品に貼付し得るように該銘板Ａに両面テープＴを貼付する装置であって、
銘板Ａや両面テープＴが載置される固定台が中央に立設された固定治具２と、
該固定台の中央の固定穴に可動可能に嵌合される内側可動治具３と、
該固定台の外側に可動可能に嵌合される外側可動治具４と、
該固定治具に連設されると共に負圧による吸着力または加圧による押圧力により
両面テープ及び銘板を所定の位置関係に位置決めすることができる空気圧装置５と、
上記内側可動治具３と外側可動治具４とを押圧移動後に元の位置に復元させる圧縮ばね等のばねを備えた弾性体６と、から構成されており、
銘板Ａの正確な位置に両面テープＴを貼付することができ、
該貼付作業の煩雑さを解消することができる。【００１２】  上記固定治具２は、
矩形の厚平板状の基台１１と、
該基台１１の中央に前記銘板Ａと両面テープＴの外径形状に合わせて弧状三角形状（ロータリーローター形状）の厚平板状に突設形成された固定台１２と、
該固定台１２の中央に前記銘板Ａと両面テープＴの内径形状に合わせて円形に開設された固定穴１３と、
該固定穴１３に連続して外方に小円弧形状に突出して形成され、前記負圧または加圧の空気が作用する通気溝１４と、を備えてなり、
固定台１２の上面に前記両面テープＴを載置することができる。【００１３】  また、前記内側可動治具３は、
上記固定穴１３に嵌合するように前記銘板Ａと両面テープＴの内径形状に合わせて円筒形に形成されると共に、
複数（本実施例にあっては、３個）の通気孔１５、及び
圧縮ばね等のばねを備えた弾性体６を装着するための複数（本実施例にあっては、３個）の装着孔１７が、
相互に干渉しないように均等配置されて設けられている。【００１４】  さらに、前記外側可動治具４は、
矩形の厚平板状に形成されると共に、
前記固定台１２の外側に嵌合する弧状三角形状（ロータリーローター形状）の嵌合孔１８が中央に設けられ、
さらに前記弾性体６を装着するための複数（本実施例にあっては、３個）の装着孔１９が均等配置され、
また、上記嵌合孔１８の上端には銘板Ａを載置する為の載置溝２０が全周に渡って環状に設けられている。【００１５】  また、空気圧装置５は、
前記基台１１の側面から中央上面にかけて小円筒状に開設された通気孔２１と、
該通気孔２１に嵌合された通気管２２と、
該通気管２２に設けられた切替弁２３と、
該切替弁２３、２３に連通して設けられた真空発生器２４と、
該切替弁２３、２３に連通して設けられた補助管２５と、
を備えて構成されている。【００１６】  このようにして、本発明の両面テープ貼付装置１によれば、
両面テープＴの表側の剥離紙のみを剥離して接着面を暴露した両面テープＴを内側可動治具３の外側と外側可動治具４の嵌合孔１８の内側に該剥離面（接着面）を上にして装着すると共に、
銘板Ａを外側可動治具４の載置溝２０の上に載置することで、
両面テープＴと銘板Ａとを同時に同心及び回転方向に位置決めして装着し、
両面テープＴと銘板Ａの相互関係を正確な位置にして貼付可能な状態にした後、
内側可動治具３と外側可動治具４の両者を同時に押圧することによって、
銘板Ａを両面テープＴに向かって垂直移動することで、
銘板Ａの正確な位置に両面テープＴを貼付させることができる。【００１７】  尚、本発明の両面テープ貼付装置１は、上記実施例の構成に限られることなく、
上記実施例の構成に追加することや、他の構成で置換することができるのは勿論である。【００１８】  次に、本発明の使用方法を上記実施の形態の第１例の両面テープ貼付装置１によって詳述する。【００１９】  本発明の両面テープ貼付装置１にあっては、
銘板に両面テープを貼付する場合、一度で正確かつ容易に作業できるようにようにし、
従来の目視に頼る手作業による正確な位置に貼付することが困難となるという問題点の解消を図り、使用勝手を飛躍的に向上させた両面テープ貼付装置を提供することができるものである。【００２０】  すなわち、図１〜図６に良く示されているように、
（１）まず、固定治具２の固定台１２の外側に嵌合孔１８を嵌合させて外側可動治具４を装着させる。
（２）次に、該固定治具２の固定台１２の固定穴１３に内側可動治具３を嵌合させて内側可動治具３を装着させる。
（３）さらに、内側可動治具３の外側と外側可動治具４の嵌合孔１８の内側に装着すると共に、固定台１２の上面に載置することで両面テープＴを両面テープ貼付装置１に装着する。
（４）この際、両面テープＴの表側の剥離紙のみを剥離して接着面を暴露した状態で、この両面テープＴを該剥離面（接着面）を上にして、両面テープ貼付装置１に装着するのである。
（５）次に、固定治具２の固定台１２と内側可動治具３とで両面テープＴを位置決めすると同時に、固定治具２側から空気圧装置５の負圧（バキューム）を作用させ、この負圧による吸着力を使って両面テープＴの位置を正確な位置に位置決めして保持する。
（６）つづいて、銘板Ａを内側可動治具３の外側と外側可動治具４の載置溝２０に載置することで、両面テープＴと銘板Ａとを同時に同心及び回転方向に位置決めして、両面テープＴと銘板Ａの相互関係を正確な位置にして貼付可能な状態にすることができる。
（７）さらに、内側可動治具３と外側可動治具４の両者を同時に下方へ押圧することによって、銘板Ａを両面テープＴに向かって下方へ垂直移動させる。
（８）これによって、これら両面テープＴと銘板Ａとの両者が押付けられ圧迫されることにより、両面テープＴの剥離紙剥離側（接着面側）を銘板Ａの下側の正確な位置に貼付させることができる。
（９）この際、両面テープＴを銘板Ａの下側の正確な位置に貼付直後に、
エア切替装置２０により、負圧（バキューム）から加圧（コンプレッション）に空気圧を切替えて、固定治具２側から該加圧を使って両面テープを押圧（エア圧送）して、
両面テープＴと銘板Ａとの相互の接着力を増大させることが出来る。
（１０）これにより、銘板Ａの下側の正確な位置に、両面テープＴの剥離紙剥離側（接着面側）を貼付することができる。
（１１）この際、内側可動治具３は、銘板Ａと両面テープＴの位置決めの際のセンタリングの役割をしている。
（１２）また、外側可動治具４は、銘板Ａと両面テープＴの回転方向の位置決め役割をしている。
（１３）尚、下方へ押圧して基台１１に押付けられた前記内側可動治具３と外側可動治具４とは、両面テープＴと銘板Ａとの貼付作業の終了後に、該押圧力を解除することにより、弾性体６の弾発力により上方へ垂直移動され、元の位置に戻されると共に、
銘板Ａの正確な位置に両面テープＴを貼付したものを上方に垂直移動して、
両面テープ貼付装置１から取出し易くする。
（１４）このようにして、銘板Ａの正確な位置に、両面テープＴを貼付することができ、この両面テープＴを貼付した銘板Ａを目的とする装飾板等の製品の所定の位置に貼付することにより、銘板Ａを貼付した目的とする装飾板等の製品を得ることができる。
（１５）この際、両面テープＴの残っている裏側の剥離紙を剥離して、銘板Ａを上記装飾板等の製品の所定の位置に貼付することにより、銘板Ａを貼付した目的とする装飾板等の製品を得ることができる。【００２１】  尚、本発明の両面テープ貼付装置１は、上記実施例の構成に限られることなく、
上記実施例の構成に追加することや、他の構成で置換することができるのは勿論であり、例えば、次のようなものがある。【００２２】（１）前記空気圧装置５にエアをオン・オフするペタルスイッチ（図示省略）を設けることにより、
負圧を断続させて両面テープの位置を微調整することができ、
貼付作業をやり易くすることができる利点がある。
（２）また、前記内側可動治具３の通気孔１５の設定数を変更すること、または
空気圧装置５により供給するエア圧力を加減すること、により、
両面テープＴと銘板Ａとを保持する際の負圧による吸着力の大きさを調整でき、
貼付作業をやり易くすることができる利点がある。
【図面の簡単な説明】
【００２３】
【図１】本発明の実施の形態の一例を示す構成の平面図である
【図２】本発明の実施の形態の一例を示す構成の正面図である
【図３】本発明の実施の形態の一例を示す構成の要部の断面図である
【図４】本発明の実施の形態の一例を示す構成の分解斜視図である
【図５】本発明により両面テープが貼付された銘板の正面図である
【図６】本発明により両面テープが貼付された銘板の平面図である
【符号の説明】
【００２４】１      両面テープ貼付装置
２      固定治具
３      内側可動治具
４      外側可動治具
５      空気圧装置
６      弾性体（圧縮ばね等）
１１    基台
１２    固定台
１３    固定穴
１４    通気溝
１５    通気孔
１７    装着孔
１８    嵌合孔
１９    装着孔
２０    載置溝
２１    通気孔
２２    通気管
２３    切替弁
２４    真空発生器
２５    補助管
Ａ      銘板
Ｔ      両面テープ
【図１】
2007055813.tif 000003
【図２】
2007055813.tif 000004
【図３】
2007055813.tif 000005
【図４】
2007055813.tif 000006
【図５】
2007055813.tif 000007
【図６】
2007055813.tif 000008